(57)【特許請求の範囲】
【請求項１】
苗載台の下部に苗取出し口を開口し、同苗取出し口より下方へ向けて左右一対の側方ガイド体を延設して、苗載台上の苗マットの下端部を植付爪により切削して、苗取出し口より苗ブロックを取出すと共に、同苗ブロックを側方苗ガイド体に沿わせて圃場に植付けるようにした田植機の苗ガイド構造において、
左右一対の側方苗ガイド体の前端縁部間に、両前端縁部に略沿って下方へ伸延する前方苗ガイド体を配設し、同前方ガイド体は、前方へ凸状に湾曲する、前後幅を左右幅よりも大とした板状に形成し、かつ、下端部は左右一対の側方苗ガイド体の下端部よりも下方へ伸延させて形成すると共に、
同前方苗ガイド体と左右一対の側方苗ガイド体とを相互に連結したことを特徴とする田植機の苗ガイド構造。
【請求項２】
前方苗ガイド体と左右一対の側方苗ガイド体とは、複数個所にて部分的に連結したことを特徴とする請求項１に記載の苗ガイド構造。
【発明の詳細な説明】
【０００１】
【発明の属する技術分野】
本発明は、田植機の苗ガイド構造に関する。
【０００２】
【従来の技術】
従来、田植機の苗ガイド構造の一形態として、苗載台の下部に苗取出し口を開口し、同苗取出し口より下方へ向けて左右一対の側方ガイド体を延設して、苗載台上の苗マットの下端部を植付爪により切削して、苗取出し口より苗ブロックを取出すと共に、同苗ブロックを側方苗ガイド体に沿わせて圃場に植付けるようにしたものがある。
【０００３】
この際、左右一対の側方苗ガイド体は、植付爪の先端部に挟持されている苗ブロックの左右方向への姿勢の乱れを規制しながら圃場へ植付けることができるようにしている。
【０００４】
【発明が解決しようとする課題】
ところが、上記した苗ガイド構造では、苗ブロックの左右方向の姿勢の乱れは規制できるものの、前後方向の姿勢の乱れは規制できず、圃場において、前傾姿勢又は後傾姿勢にて植付けられて、苗の育成状況を良好に保つことができないという不具合がある。
【０００５】
【課題を解決するための手段】
そこで、本発明では、苗載台の下部に苗取出し口を開口し、同苗取出し口より下方へ向けて左右一対の側方ガイド体を延設して、苗載台上の苗マットの下端部を植付爪により切削して、苗取出し口より苗ブロックを取出すと共に、同苗ブロックを側方苗ガイド体に沿わせて圃場に植付けるようにした田植機の苗ガイド構造において、左右一対の側方苗ガイド体の前端縁部間に、両前端縁部に略沿って下方へ伸延する前方苗ガイド体を配設し、同前方ガイド体は、前方へ凸状に湾曲する、前後幅を左右幅よりも大とした板状に形成し、かつ、下端部は左右一対の側方苗ガイド体の下端部よりも下方へ伸延させて形成すると共に、同前方苗ガイド体と左右一対の側方苗ガイド体とを相互に連結したことを特徴とする田植機の苗ガイド構造を提供せんとするものである。
【０００６】
また、本発明は、次に構成にも特徴を有する。
【０００９】
（３）前方苗ガイド体と左右一対の側方苗ガイド体とは、複数個所にて部分的に連結したこと。
【００１０】
【発明の実施の形態】
以下に、本発明の実施の形態について説明する。
【００１１】
すなわち、本発明に係る田植機の苗ガイド構造は、基本的構造として、苗載台の下部に苗取出し口を開口し、同苗取出し口より下方へ向けて左右一対の側方ガイド体を延設して、苗載台上の苗マットの下端部を植付爪により切削して、苗取出し口より苗ブロックを取出すと共に、同苗ブロックを側方苗ガイド体に沿わせて圃場に植付けるようにしている。
【００１２】
そして、特徴的構造として、左右一対の側方苗ガイド体の前端縁部間に、両前端縁部に略沿って下方へ伸延する前方苗ガイド体を配設すると共に、同前方苗ガイド体と左右一対の側方苗ガイド体とを相互に連結している。
【００１３】
このようにして、植付爪の先端部に挟持されている苗ブロックの姿勢は、左右一対の側方苗ガイド体により左右方向の乱れを規制することができると共に、両側方苗ガイド体に連結して剛性を確保した前方苗ガイド体により前方の乱れを規制することができて、圃場に略直立状態に植付けることができる。従って、苗の生育状況を良好に確保することができる。
【００１４】
また、前方苗ガイド体と左右一対の側方苗ガイド体とは、部分的に連結している。
【００１５】
このようにして、前方苗ガイド体と左右一対の側方苗ガイド体との間に部分的に間隙を形成することができて、同間隙より泥土を外部へ排出することができる。
【００１６】
従って、前方苗ガイド体と側方苗ガイド体との内面に泥の塊等が付着するのを防止することができて、同塊等により植付爪の先端部に挟持された苗ブロックが落とされるという不具合の発生を防止することができる。
【００１７】
また、前方苗ガイド体と左右一対の側方苗ガイド体とは、下端部を相互に連結している。
【００１８】
このようにして、前方苗ガイド体と左右一対の側方苗ガイド体とを一体化することができると共に、苗載台に片持ち支持されているこれら苗ガイド体の剛性を高めることができて、苗ブロックの姿勢を良好に確保したまま圃場の近傍まで苗ブロックを案内する機能を保持させることができる。
【００１９】
また、前方苗ガイド体と左右一対の側方苗ガイド体とは、複数個所にて部分的に連結している。
【００２０】
このようにして、前方苗ガイド体と左右一対の側方苗ガイド体との剛性をさらに高めることができると共に、泥土の排出機能と苗ブロックの良好な植付け姿勢の保持機能とを確保することができる。
【００２１】
【実施例】
以下に、本発明の実施例を図面を参照しながら説明する。
【００２２】
図１に示すＡは、本発明に係る苗ガイド構造を具備する乗用田植機であり、同乗用田植機Ａは、自走可能な走行部１の後方に植付部２を昇降機構３を介して連結している走行部１は、図１に示すように、機体フレーム４の前部に原動機部５を設け、同原動機部５の後方位置に運転部６を設け、同運転部６の下方位置にミッション部７を配設して、同ミッション部７に左右側前車輪８，８をフロントアクスルケース９，９を介して連動連結し、機体フレーム４の後端部に左右側後車輪10,10 をリヤアクスルケース11,11 を介して連動連結している。
【００２３】
そして、原動機部５とミッション部７は、伝動ベルト機構12を介して連動連結し、同ミッション部７とリヤアクスルケース11,11 は伝動シャフト13,13 を介して連動連結している。
【００２４】
植付部２は、図１に示すように、植付フレーム20に植付ミッションケース21を取付け、同植付ミッションケース21の後端部にロータリケース22の中途部を回動駆動軸23を介して連動連結し、同ロータリケース22の両端部にそれぞれ植付爪24,24 を連動連結すると共に、植付ミッションケース21の上方位置に苗載台25を載設する一方、植付ミッションケース21の下方にセンターフロート26及びサイドフロート27,27 をフロート支持機枠28を介して取付けている。
【００２５】
苗載台25は、図２及び図３にも示すように、苗載台レール30上に苗載台本体31を左右方向に往復摺動自在に取付けており、苗載台レール30には、複数の苗取出し口32を各植付爪24と前後方向に対向させて開口し、各苗取出し口32には、下方へ向け伸延する左右一対の側方苗ガイド体33,33 を取付体34を介して取付けている。35は取付ボルト、36はＰＴＯ伝動軸である。
【００２６】
このようにして、苗載台本体31上に苗マット（図示せず）を載置し、同苗マットの下端部を植付爪24により切削して、苗取出し口32より苗ブロック（図示せず）を取出すと共に、同苗ブロックを側方苗ガイド体33,33 に沿わせて圃場Ｇに植付けるようにしている。
【００２７】
昇降機構３は、図１に示すように、機体フレーム４と植付フレーム20との間に昇降リンク機構40を介設し、同昇降リンク機構40と、ミッション部７との間に昇降シリンダ41を介設して、同昇降シリンダ41の伸縮作動に連動させて昇降リンク機構40を昇降可能としている。
【００２８】
上記のような構成において、本発明の要旨は、苗ガイド構造にあり、以下に、かかる苗ガイド構造を図２〜図４を参照しながら説明する。
【００２９】
すなわち、左右一対の側方苗ガイド体33,33 の前端縁部33a,33a 間には、両前端縁部33a,33a に略沿って下方へ伸延する前方苗ガイド体45を配設している。
【００３０】
このようにして、植付爪24の先端部に挟持されている苗ブロックの姿勢は、左右一対の側方苗ガイド体33,33 により左右方向の乱れを規制すると共に、前方苗ガイド体45により前方の乱れを規制することができるようにしている。
【００３１】
そして、前方苗ガイド体45は、上下方向に伸延し、かつ、前方へ凸状に弯曲する板状に形成しており、前方苗ガイド体45は、前後幅W1を左右幅W2よりも大となしている。
【００３２】
このようにして、前方苗ガイド体45の後端縁部には、苗ブロックが植付爪24により押圧されながら上方から下方へ向けて摺動するが、前方苗ガイド体45は、前後幅W1を左右幅W2よりも大となして、同前方苗ガイド体45の前後方向の曲げに対する剛性を高くしているために、前方苗ガイド体45が繰返し押圧力を受けても共振することがない。
【００３３】
従って、前方苗ガイド体45に苗ブロックの安定したガイド機能を保持させることができて、苗ブロックの植付け姿勢を良好に確保することができる。
【００３４】
しかも、前方苗ガイド体45の後端縁部45a は、植付爪24の植付け静軌跡Ｋに略沿うように弯曲させて形成している。
【００３５】
このようにして、前方苗ガイド体45には、苗ブロックが植付爪24により上端部より下端部にわたって略均一の押圧力にて作用する。
【００３６】
この際、前方苗ガイド体45は、前記したように前後方向の曲げに対する剛性を高くしていることから、振動することがなく、安定した苗ガイド機能を果す。その結果、苗ブロックの苗植付け姿勢を良好に確保することができる。
【００３７】
さらに、前方苗ガイド体45の下端部45b は、左右一対の側方苗ガイド体33,33 の下端部33b,33b よりも下方へ伸延させて形成している。L は伸延長さである。
このようにして、苗ブロックの姿勢を、左右方向よりも姿勢の乱れやすい前後方向に長時間規制することができて、圃場Ｇへの植付け姿勢を良好に確保することができる。
【００３８】
しかも、苗ブロックを圃場Ｇに植付ける直前において、苗ブロックに付着した余分な土を、側方苗ガイド体33,33 の下端部33b 通過直後に、一旦左右側方へ放出させることができて、苗ブロックの植付けを、スムーズに、かつ、植込み姿勢を良好に確保したまま行うことができる。
【００３９】
ここで、前方苗ガイド体45は、左右一対の側方苗ガイド体33,33 と相互に上端部と中途部と下端部の三個所で連結すべく合成樹脂により一体成形している。
【００４０】
すなわち、前方苗ガイド体45と側方苗ガイド体33,33 の上端は、取付体34に連設し、左右一対の側方苗ガイド体33,33 の前端縁部33a の中途部間と下端部間33b とに、それぞれ平面視コ字状の連結片46,47 を前方へ張出し状に跨架すると共に、各連結片46,47 の前壁46a,47a の後面中央部に、前方苗ガイド体45の前端縁部を連設している。
【００４１】
このようにして、前方苗ガイド体45と左右一対の側方苗ガイド体33,33 とを一体化することができて、苗載台レール30に片持ち状態に支持されているこれら苗ガイド体45,33,33の剛性を高めることができて、苗ブロックの姿勢を良好に確保したまま圃場Ｇの近傍まで苗ブロックを案内する機能を保持させることができる。
【００４２】
しかも、前方苗ガイド体45と左右一対の側方苗ガイド体33,33 とは、部分的に連結しているために、非連結部分に間隙t を形成することができて、同間隙t より苗ブロックに付着している泥土等の排出が行える。
【００４３】
そのために、側方苗ガイド体33,33 の内面に泥土等の塊が付着するのを防止することができる。従って、付着した泥土等の塊に植付爪24に挟持された苗ブロックが引掛って、同苗ブロックが脱落するという不具合の発生を防止することができる。
【００４４】
なお、上記苗ガイド体45,33,33を形成する合成樹脂としては、例えば、剛性が高く、しかも、軽量化が図れるアクリロニトリル−ブタジエン−スチレン樹脂（ＡＢＳ）やポリウレタンを使用することができる。
【００４５】
図５〜図７は、第２実施例としての苗ガイド構造を示しており、同苗ガイド構造では、左右一対の側方苗ガイド体33,33 の外側面に上下方向に伸延する補強用リブ50,50 を形成し、両補強リブ50,50 の下端部間に平面視コ字状の連結片51を前方へ張出し状に跨架すると共に、同連結片51の前壁51a の後面中央部に前方苗ガイド体45の前端縁部を連設している。
【００４６】
このようにして、補強用リブ50,50 により側方苗ガイド体33,33 を補強すると共に、連結片51の左右側壁51b,51b は、左右一対の側方苗ガイド体33,33 よりも外方へ配置して、側方苗ガイド体33,33 の前方に大きな空間Ｓを形成して、苗ブロックの引掛りをなくすと共に、泥土等の排出が円滑に行えるようにしている。
【００４７】
なお、かかる苗ガイド体45,33,33と連結片51も、前記第１実施例の場合と同様に、合成樹脂により一体成形することができる。
【００４８】
図８〜図１０は、第３実施例としての苗ガイド構造を示しており、同苗ガイド構造では、前方苗ガイド体45の前側縁部の下部に、前方と左右側方が開口する係合片52を一体成形する一方、左右一対の側方苗ガイド体33,33 の外側面の下端部に、前後方向が開口する挿通孔形成片53,53 を一体成形して、これら苗ガイド体45,33,33を係合片52及び挿通孔形成片53,53 を介して連結体54により一体的に連結している。
【００４９】
そして、連結体54は、係合片52に係合する前側部形成片54a と、挿通孔形成片53,53 に形成した挿通孔53a,53a 中に前方より挿通する左右側部形成片54b,54b とから平面視コ字状に形成しており、同連結体54は円形断面の棒状体を折曲して形成している。
【００５０】
このようにして、前方苗ガイド体45と左右一対の側方苗ガイド体33,33 の下端部同士を連結体54により一体的に連結することにより、構造簡易にして、これら苗ガイド体45,33,33の剛性を高めることができる。
【００５１】
図１１〜図１３は、第４実施例としての苗ガイド構造を示しており、同苗ガイド構造では、前方苗ガイド体45の前側縁部の下部に、上方と左右側方が開口する係合片55を一体成形する一方、左右一対の側方苗ガイド体33,33 の外側面の下端部に、上方と前後方向が開口する係合片56,56 を一体成形して、これら苗ガイド体45,33,33を係合片55,56,56を介して連結体57により一体的に連結している。
【００５２】
そして、連結体57は、係合片55に係合する前側部係合片57a と、係合片56,56 に係合する左右側部係合片57b,57b とから平面視コ字状に形成しており、同連結体57は、薄肉帯状体を折曲して形成している。
【００５３】
このようにして、各係合片55,56,56に連結体57を上方より挿入して係合させることにより、前方苗ガイド体45と側方苗ガイド体33,33 の下端部同士を一体的に連結することができ、これら苗ガイド体45,33,33の剛性を高めることができる。
【００５４】
図１４〜図１６は、第５実施例しての苗ガイド構造を示しており、同苗ガイド構造では、前方苗ガイド体45の下部に左右方向に軸線を向けたボス部60を左右外側方へ突出状に一体成形する一方、左右一対の側方苗ガイド体33,33 の外側面の下部に、左右方向に軸線を向けたボス部61,61 を外側方へ突出状に一体成形して、各ボス部60,61,61のボス孔60a,61a,61a を左右方向に符合させ、これらボス孔60a,61a,61a 中に連結ピン62を挿通することにより、これら苗ガイド体45,33,33を一体的に連結している。63は抜止めピンである。
【００５５】
ここで、前方苗ガイド体45に設けたボス部60は、左右幅を、左右一対の側方苗ガイド体33,33 の左右間隔と略同一となして、連結時には、ボス部60の左右側端面が各側方苗ガイド体33,33 の内側面に当接するようにして、これら苗ガイド体45,33,33の剛性を高めている。
【００５６】
【発明の効果】
本発明によれば、次のような効果が得られる。
【００５７】
（１）請求項１記載の本発明では、左右一対の側方苗ガイド体の前端縁部間に、両前端縁部に略沿って下方へ伸延する前方苗ガイド体を配設し、同前方ガイド体は、前方へ凸状に湾曲する、前後幅を左右幅よりも大とした板状に形成し、かつ、下端部は左右一対の側方苗ガイド体の下端部よりも下方へ伸延させて形成すると共に、同前方苗ガイド体と左右一対の側方苗ガイド体とを相互に連結しているために、植付爪の先端部に挟持されている苗ブロックの姿勢は、左右一対の側方苗ガイド体により左右方向の乱れを規制することができると共に、両側方苗ガイド体に連結して剛性を確保した前方苗ガイド体により前方の乱れを規制することができて、圃場に略直立状態に植付けることができる。従って、苗の生育状況を良好に確保することができる。
【００６１】
（２）請求項２記載の本発明では、前方苗ガイド体と左右一対の側方苗ガイド体とは、複数個所にて部分的に連結しているために、前方苗ガイド体と左右一対の側方苗ガイド体との剛性をさらに高めることができると共に、泥土の排出機能と苗ブロックの良好な植付け姿勢の保持機能とを確保することができる。
【図面の簡単な説明】
【図１】本発明に係る苗ガイド構造を具備する乗用田植機の側面図。
【図２】同苗ガイド構造を示す側面図。
【図３】同苗ガイド構造を示すＢ矢視図。
【図４】図２のI-I 線端面図。
【図５】第２実施例としての苗ガイド構造を示す側面図。
【図６】同苗ガイド構造を示すＣ矢視図。
【図７】図５のII-II 線端面図。
【図８】第３実施例としての苗ガイド構造を示す側面図。
【図９】同苗ガイド構造を示すＤ矢視図。
【図１０】図８のIII-III 線端面図。
【図１１】第４実施例としての苗ガイド構造を示す側面図。
【図１２】同苗ガイド構造を示すＥ矢視図。
【図１３】図１１のIV-IV 線端面図。
【図１４】第５実施例としての苗ガイド構造を示す側面図。
【図１５】同苗ガイド構造を示すＦ矢視図。
【図１６】図１４のV-V 線端面図。
【符号の説明】
Ａ  乗用田植機
１  走行部
２  植付部
３  昇降機構
４  機体フレーム
【図１】
0003996289.tif 000002
【図２】
0003996289.tif 000003
【図３】
0003996289.tif 000004
【図４】
0003996289.tif 000005
【図５】
0003996289.tif 000006
【図６】
0003996289.tif 000007
【図７】
0003996289.tif 000008
【図８】
0003996289.tif 000009
【図９】
0003996289.tif 000010
【図１０】
0003996289.tif 000011
【図１１】
0003996289.tif 000012
【図１２】
0003996289.tif 000013
【図１３】
0003996289.tif 000014
【図１４】
0003996289.tif 000015
【図１５】
0003996289.tif 000016
【図１６】
0003996289.tif 000017